(57)【要約】【課題】既存の設備を利用して、より独自性に富んだ放送を行なうことができるようにする。【解決手段】SIデータ解析部２４１は、セクションデータの中から、SIデータを抽出して解析する。ネットワークID取得部２４２は、SIデータに含まれるNITの中の「network_id」の値を取得する。アプリケーションデータ取得部２４３は、ネットワークID取得部２４２により取得されたネットワークIDに基づいて、データカルーセルにアクセスして、複数のアプリケーションデータの中から自分が取得すべきアプリケーションデータを抽出する。アプリケーションデータ処理制御部２４４は、取得されたアプリケーションデータの処理を制御する。【選択図】図１０
2010068209.tif 000002
【特許請求の範囲】
【請求項１】
所定の方式で符号化されたＡＶ（Audio-Visual）データ及び制御データ、並びに複数のネットワークのそれぞれに配信するためのアプリケーションデータを含んで構成される番組データを受信する受信手段と、
前記受信された番組データに含まれる制御データを解析し、当該番組データを配信するネットワークを特定するネットワークIDを取得するネットワークID取得手段と、
前記取得したネットワークＩＤに基づいて、前記番組データに含まれるアプリケーションデータのうち、当該ネットワークに配信するためのアプリケーションデータを抽出する抽出手段と
を備える受信装置。
【請求項２】
前記受信された番組データに含まれる制御データに含まれるネットワーク情報として、ETSI（European Telecommunications Standards Institute）、またはARIB（Association of Radio Industries and Businesses）の規格により規定されたNIT（Network Information Table）が解析され、
前記ネットワークIDは、前記NITに含まれるnetwork_idの値である
請求項１に記載の受信装置。
【請求項３】
前記アプリケーションデータには、複数の前記ネットワークのそれぞれに配信するための広告データ、およびソフトウェア・アップデート用のデータが含まれる
請求項１に記載の受信装置。
【請求項４】
前記番組データには、複数の前記ネットワークに共通のＥＰＧデータと、複数の前記ネットワークIDのそれぞれに対応付けられたアプリケーションデータを含んで構成されるデータカルーセルが多重化され、
前記抽出手段は、前記データカルーセルにアクセスし、前記共通のＥＰＧデータを抽出するとともに、前記ネットワークIDに基づいて前記アプリケーションデータを抽出する
請求項１に記載の受信装置。
【請求項５】
前記抽出手段が抽出したデータの処理を制御するデータ処理制御手段をさらに備え、
前記データ処理制御手段は、前記抽出されたアプリケーションデータに対応する広告データの画像を、前記抽出されたＥＰＧデータと共に画面に表示させる処理を制御する
請求項４に記載の受信装置。
【請求項６】
前記抽出手段が抽出したデータの処理を制御するデータ処理制御手段をさらに備え、
前記データ処理制御手段は、前記抽出されたアプリケーションデータに基づいて、自分のソフトウェアをアップデートする処理を制御する
請求項４に記載の受信装置。
【請求項７】
前記受信手段は、番組の放送波を受信して前記放送波に対応する信号をネットワークに送出するヘッドエンドが送出した前記番組データを受信する
請求項１に記載の受信装置。
【請求項８】
前記放送波は、複数の前記ヘッドエンドにより同時に受信され、前記複数のヘッドエンドのそれぞれにより複数のネットワークに、同一の前記番組データが送出される
請求項７に記載の受信装置。
【請求項９】
前記ネットワークは、ケーブルテレビネットワークであり、前記ケーブルテレビのサービスとして放送される番組を受信するセットトップボックスまたはテレビジョン受像機として構成される
請求項１に記載の受信装置。
【請求項１０】
所定の方式で符号化されたＡＶ（Audio-Visual）データ及び制御データ、並びに複数のネットワークのそれぞれに配信するためのアプリケーションデータを含んで構成される番組データを受信し、
前記受信された番組データに含まれる制御データを解析し、当該番組データを配信するネットワークを特定するネットワークIDを取得し、
前記取得したネットワークＩＤに基づいて、前記番組データに含まれるアプリケーションデータのうち、当該ネットワークに配信するためのアプリケーションデータを抽出する
ステップを含む受信方法。
【請求項１１】
放送される番組に関するデータであって、所定の方式で符号化されたAVデータおよび制御情報データを、複数のネットワークのそれぞれを特定する複数のネットワークIDに対応付けられたアプリケーションデータを含んで構成されるデータカルーセルを含む付加データとともに多重化する多重化手段を備え、
前記多重化されたデータを変調して得られた信号を、前記複数のネットワークのぞれぞれに向けて送出する
送出装置。
【請求項１２】
前記ネットワークＩＤは、前記複数のネットワーク上に送出された信号に含まれる番組を、前記複数のネットワークのそれぞれに接続された受信機により受信するために用いられるネットワーク情報に含まれる
請求項１１に記載の送出装置。
【請求項１３】
前記ネットワーク情報は、ETSI（European Telecommunications Standards Institute）、またはARIB（Association of Radio Industries and Businesses）の規格により規定されたNIT（Network Information Table）であり、
前記ネットワークIDは、前記NITに含まれるnetwork_idの値である
請求項１１に記載の送出装置。
【請求項１４】
前記ネットワークは、ケーブルテレビネットワークであり、
前記送出した信号の番組が、衛星を介して複数の前記ケーブルテレビネットワークにおいて放送される
請求項１１に記載の送出装置。
【請求項１５】
放送される番組に関するデータであって、所定の方式で符号化されたAVデータおよび制御情報データを、複数のネットワークのそれぞれを特定する複数のネットワークIDに対応付けられたアプリケーションデータを含んで構成されるデータカルーセルを含む付加データとともに多重化し、
前記多重化されたデータを変調して得られた信号を、前記複数のネットワークのぞれぞれに向けて送出する
ステップを含む送出方法。
【発明の詳細な説明】
【技術分野】
【０００１】
本発明は、受信装置および方法、並びに送出装置および方法に関し、特に、既存の設備を利用して、より独自性に富んだ放送を行なうことができるようにする受信装置および方法、並びに送出装置および方法に関する。
【背景技術】
【０００２】
ケーブルテレビ（以下、適宜CATVと称する）では、同軸ケーブルや光ケーブルなどを用い、テレビジョン放送やインターネット接続、電話などのサービスを提供している。CATVで放送されるテレビジョン放送は、例えば、衛星から送信された放送波を、CATVの放送センターで受信し、ヘッドエンドと呼ばれる装置により変調、多重化するなどしてケーブルを通して送信される。
【０００３】
CATVネットワークが複数存在する場合、例えば、衛星から送信された放送波を複数の放送センターがそれぞれ受信して、それぞれ自分のCATVネットワークに向けて送信するようになされている。この場合、EPG（Electronic Program Guide）などのデータも同様に送信されることになる。
【０００４】
また、センター局においてネットワーク識別子、ＣＡＴＶ事業者識別子、受信装置識別子などを含むＥＭＭ個別メッセージを作成し、これをデジタル放送信号に含めて配信する技術も提案されている（例えば、特許文献１参照）。これにより、ＣＡＴＶ局では、例えば、センター局からのデジタル放送信号のＥＭＭ個別情報のうち、自局の加入者に対するもののみを生かしてＣＡＴＶ網に送出するようにすることが可能となる。
【０００５】
【特許文献１】特開２００２−２３７７８７号公報
【発明の開示】
【発明が解決しようとする課題】
【０００６】
しかしながら、例えば、CATVネットワークが個別に契約したスポンサーなどの広告をEPGに重畳して表示したいというニーズが存在する。従来のCATVでは、複数のCATVネットワークが同じEPGデータを受信することになるので、CATVネットワークが個別に契約したスポンサーなどの広告をEPGに重畳して表示することができないという問題があった。
【０００７】
上述したように、複数のCATVネットワークであっても、利用するEPGは同じものなので、例えば、個々のCATVネットワークのそれぞれに対応するEPGデータを生成して放送することは非効率的と言わざるを得ない。
【０００８】
また、CATVネットワークのセンター局は、通常のテレビ局のような設備や人員をもたないので、自分が個別に契約したスポンサーなどの広告などを、EPGに重畳して表示するための放送データを編集する作業などを行なうことは困難である。例えば、特許文献１に示されるような技術を用いた場合、CATVネットワークのセンター局の設備の更改、人員の増員などが必要となってしまう。
【０００９】
本発明はこのような状況に鑑みてなされたものであり、既存の設備を利用して、より独自性に富んだ放送を行なうことができるようにするものである。
【課題を解決するための手段】
【００１０】
本発明の第１の側面は、所定の方式で符号化されたＡＶ（Audio-Visual）データ及び制御データ、並びに複数のネットワークのそれぞれに配信するためのアプリケーションデータを含んで構成される番組データを受信する受信手段と、前記受信された番組データに含まれる制御データを解析し、当該番組データを配信するネットワークを特定するネットワークIDを取得するネットワークID取得手段と、前記取得したネットワークＩＤに基づいて、前記番組データに含まれるアプリケーションデータのうち、当該ネットワークに配信するためのアプリケーションデータを抽出する抽出手段とを備える受信装置である。
【００１１】
前記受信された番組データに含まれる制御データに含まれるネットワーク情報として、ETSI（European Telecommunications Standards Institute）、またはARIB（Association of Radio Industries and Businesses）の規格により規定されたNIT（Network Information Table）が解析され、前記ネットワークIDは、前記NITに含まれるnetwork_idの値であるようにすることができる。
【００１２】
前記アプリケーションデータには、複数の前記ネットワークのそれぞれに配信するための広告データ、およびソフトウェア・アップデート用のデータが含まれるようにすることができる。
【００１３】
前記番組データには、複数の前記ネットワークに共通のＥＰＧデータと、複数の前記ネットワークIDのそれぞれに対応付けられたアプリケーションデータを含んで構成されるデータカルーセルが多重化され、前記抽出手段は、前記データカルーセルにアクセスし、前記共通のＥＰＧデータを抽出するとともに、前記ネットワークIDに基づいて前記アプリケーションデータを抽出するようにすることができる。
【００１４】
前記抽出手段が抽出したデータの処理を制御するデータ処理制御手段をさらに備え、前記データ処理制御手段は、前記抽出されたアプリケーションデータに対応する広告データの画像を、前記抽出されたＥＰＧデータと共に画面に表示させる処理を制御するようにすることができる。
【００１５】
前記抽出手段が抽出したデータの処理を制御するデータ処理制御手段をさらに備え、前記データ処理制御手段は、前記抽出されたアプリケーションデータに基づいて、自分のソフトウェアをアップデートする処理を制御するようにすることができる。
【００１６】
前記受信手段は、番組の放送波を受信して前記放送波に対応する信号をネットワークに送出するヘッドエンドが送出した前記番組データを受信するようにすることができる。
【００１７】
前記放送波は、複数の前記ヘッドエンドにより同時に受信され、前記複数のヘッドエンドのそれぞれにより複数のネットワークに、同一の前記番組データが送出されるようにすることができる。
【００１８】
前記ネットワークは、ケーブルテレビネットワークであり、前記ケーブルテレビのサービスとして放送される番組を受信するセットトップボックスまたはテレビジョン受像機として構成されるようにすることができる。
【００１９】
本発明の第１の側面は、所定の方式で符号化されたＡＶ（Audio-Visual）データ及び制御データ、並びに複数のネットワークのそれぞれに配信するためのアプリケーションデータを含んで構成される番組データを受信し、前記受信された番組データに含まれる制御データを解析し、当該番組データを配信するネットワークを特定するネットワークIDを取得し、前記取得したネットワークＩＤに基づいて、前記番組データに含まれるアプリケーションデータのうち、当該ネットワークに配信するためのアプリケーションデータを抽出するステップを含む受信方法である。
【００２０】
本発明の第１の側面においては、所定の方式で符号化されたＡＶ（Audio-Visual）データ及び制御データ、並びに複数のネットワークのそれぞれに配信するためのアプリケーションデータを含んで構成される番組データが受信され、前記受信された番組データに含まれる制御データが解析され、当該番組データを配信するネットワークを特定するネットワークIDが取得され、前記取得したネットワークＩＤに基づいて、前記番組データに含まれるアプリケーションデータのうち、当該ネットワークに配信するためのアプリケーションデータが抽出される。
【００２１】
本発明の第２の側面は、放送される番組に関するデータであって、所定の方式で符号化されたAVデータおよび制御情報データを、複数のネットワークのそれぞれを特定する複数のネットワークIDに対応付けられたアプリケーションデータを含んで構成されるデータカルーセルを含む付加データとともに多重化する多重化手段を備え、前記多重化されたデータを変調して得られた信号を、前記複数のネットワークのそれぞれに向けて送出する送出装置である。
【００２２】
前記ネットワークＩＤは、前記複数のネットワーク上に送出された信号に含まれる番組を、前記複数のネットワークのそれぞれに接続された受信機により受信するために用いられるネットワーク情報に含まれるようにすることができる。
【００２３】
前記ネットワーク情報は、ETSI（European Telecommunications Standards Institute）、またはARIB（Association of Radio Industries and Businesses）の規格により規定されたNIT（Network Information Table）であり、前記ネットワークIDは、前記NITに含まれるnetwork_idの値であるようにすることができる。
【００２４】
前記ネットワークは、ケーブルテレビネットワークであり、前記送出した信号の番組が、衛星を介して複数の前記ケーブルテレビネットワークにおいて放送されるようにすることができる。
【００２５】
本発明の第２の側面は、放送される番組に関するデータであって、所定の方式で符号化されたAVデータおよび制御情報データを、複数のネットワークのそれぞれを特定する複数のネットワークIDに対応付けられたアプリケーションデータを含んで構成されるデータカルーセルを含む付加データとともに多重化し、前記多重化されたデータを変調して得られた信号を、前記複数のネットワークのそれぞれに向けて送出するステップを含む送出方法である。
【００２６】
本発明の第２の側面においては、放送される番組に関するデータであって、所定の方式で符号化されたAVデータおよび制御情報データが、複数のネットワークのそれぞれを特定する複数のネットワークIDに対応付けられたアプリケーションデータを含んで構成されるデータカルーセルを含む付加データとともに多重化され、前記多重化されたデータを変調して得られた信号が、前記複数のネットワークのそれぞれに向けて送出される。
【発明の効果】
【００２７】
本発明によれば、既存の設備を利用して、より独自性に富んだ放送を行なうことができる。
【発明を実施するための最良の形態】
【００２８】
以下、図面を参照して、本発明の実施の形態について説明する。
【００２９】
図１は、ケーブルテレビ（以下、適宜CATVと称する）の放送方式を説明する図である。同図に示されるように、この例では、CATVネットワーク１３乃至１５の３つのCATVネットワークが示されている。
【００３０】
CATVで放送されるテレビジョン放送は、例えば、衛星から送信された放送波を、CATVの放送センターで受信し、ヘッドエンドと呼ばれる装置により変調、多重化するなどしてケーブルを通して送信される。CATVネットワークが複数存在する場合、例えば、衛星から送信された放送波を複数の放送センターがそれぞれ同時に受信して、それぞれ自分のCATVネットワークに向けて送信するようになされている。
【００３１】
図１の例では、地上局１１において、衛星送信装置２１により放送データがエンコードされて変調され、衛星１２に向けて送信される。地上局１１から衛星１２への送信は、アップリンク（up  link）とも称される。
【００３２】
衛星１２は、地上局から送信されてきた信号を受信し、所定の周波数の信号に変換するなどして地上に送信する。
【００３３】
衛星１２から送信されてきた放送波は、CATVネットワーク１３乃至CATVネットワーク１５の放送センター３１−１乃至放送センター３１−３で受信される。衛星１２から放送センターへの送信は、ダウンリンク（down  link）とも称される。放送センター３１−１乃至放送センター３１−３は、それぞれヘッドエンド３２−１乃至ヘッドエンド３２−３を有する構成とされている。
【００３４】
ヘッドエンド３２−１乃至ヘッドエンド３２−３は、衛星１２から受信した放送波を復調し、SI（System Information)と称される制御情報を多重化して、ケーブルでの送信のために再度変調した信号を送信するようになされている。なお、ヘッドエンド３２−１乃至ヘッドエンド３２−３のそれぞれを、特に区別する必要がない場合、まとめてヘッドエンド３２と称することにする。
【００３５】
ヘッドエンド３２−１から送信される信号は、CATVネットワーク１３に接続された受信機により受信可能となる。また、ヘッドエンド３２−２から送信される信号は、CATVネットワーク１４に接続された受信機により受信可能となる。さらに、ヘッドエンド３２−３から送信される信号は、CATVネットワーク１５に接続された受信機により受信可能となる。
【００３６】
それぞれのCATVネットワークに接続される受信機は、例えば、セットトップボックス、テレビジョン受像機などにより構成され、当該CATVネットワークと契約した各家庭などに設置される。
【００３７】
このような受信機を介して受信された信号に基づく画像や音声が生成されて、CATVで放送されるテレビジョン放送が、各家庭などにおいて視聴されるのである。
【００３８】
このように、CATVネットワーク１３乃至CATVネットワーク１５は、いずれも衛星１２から送信される放送波を受信してその放送波に対応する信号を、それぞれ自分のネットワークに送出するようになされている。従って、CATVネットワーク１３乃至CATVネットワーク１５と契約した各家庭などにおいては、同じ番組を視聴することが可能となる。一方で、CATVネットワーク１３乃至CATVネットワーク１５は、それぞれ異なる会社などにより運営されており、視聴の契約やスポンサー契約なども、それぞれ別々になされることになる。
【００３９】
地上局１１により生成された放送データは、例えば、所定の時間に放送される番組などのコンテンツにより構成されるものであり、受信機により番組表を表示させるためのEPGデータも含まれている。衛星１２から送信される放送波を受信して各家庭などにコンテンツを放送（配信）するCATVネットワーク１３乃至CATVネットワーク１５においては、いずれも同じ時間に同じ番組が放送されることになる。従って、CATVネットワーク１３乃至CATVネットワーク１５においては、EPGデータに基づいて表示される番組表も同じものとされる。
【００４０】
ただし、本発明においては、後述するように、CATVネットワーク１３乃至CATVネットワーク１５のそれぞれが、例えば、個別に契約したスポンサーなどの広告を静止画像として番組表に重畳して表示することができるようになされている。例えば、CATVネットワーク１３と契約した家庭とCATVネットワーク１４と契約した家庭とでは、同じ番組表を視聴することになるが、その番組表に表示される広告の内容などが異なるようになされている。
【００４１】
ここで、CATVネットワーク１３乃至CATVネットワーク１５は、ETSIのDVB規格、またはARIB（Association of Radio Industries and Businesses）の規格に適合する機器により構成されるCATVネットワークとされる。
【００４２】
図２は、衛星送信装置２１の構成例を示すブロック図である。同図の例では、ｎ個のAV（Audio-Visual）ソースデータがそれぞれAVエンコーダ５１−１乃至AVエンコーダ５１−ｎに入力されてエンコードされるようになされている。なお、各エンコーダは、例えば、MPEG方式でデータを圧縮符号化（エンコード）するものとする。従って、AVエンコーダ５１−１乃至AVエンコーダ５１−ｎにより、例えば、MPEG方式で圧縮符号化された画像データおよび音声データが生成されることになる。
【００４３】
また、上述した制御情報であるＳＩのデータもデータエンコーダ６１に入力されてエンコードされるようになされている。
【００４４】
AVエンコーダ５１−１乃至AVエンコーダ５１−ｎおよびデータエンコーダ６１から出力されたデータは、MUX７１に供給されるようになされている。MUX７１は、供給されたデータを多重化して変調部７３に出力する。
【００４５】
AVエンコーダ５１−１乃至AVエンコーダ５１−ｎの場合と同様に、ｍ個のAVソースデータがそれぞれAVエンコーダ５２−１乃至AVエンコーダ５２−ｍに入力されてエンコードされるようになされている。また、上述した制御情報であるＳＩのデータもデータエンコーダ６２に入力されてエンコードされるようになされている。AVエンコーダ５２−１乃至AVエンコーダ５２−ｍおよびデータエンコーダ６２から出力されたデータは、MUX７２に供給されるようになされている。
【００４６】
また、MUX７２には、データエンコーダ８１によりエンコードされたデータも供給されるようになされている。データエンコーダ８１は、付加データ８２をエンコードするようになされている。
【００４７】
付加データ８２は、例えば、EPGデータ、CATVネットワーク１３乃至CATVネットワーク１５を識別する識別子であるネットワークIDに対応付けられたアプリケーションデータなどにより構成される。また、付加データ８２は、図４を参照して後述するデータカルーセルを構成するためのデータである。付加データ８２は、衛星送信装置２１により生成されるようにしてもよいし、予め生成されたものが用いられるようにしてもよい。
【００４８】
MUX７２は、AVエンコーダ５２−１乃至AVエンコーダ５２−ｍ、データエンコーダ６２、およびデータエンコーダ８１から供給されたデータを多重化して変調部７４に出力する。
【００４９】
変調部７３は、供給されたデータを所定の方式で変調し、周波数ｘの信号を生成する。変調部７４は、供給されたデータを所定の方式で変調し、周波数ｙの信号を生成する。変調部７３または変調部７４により生成された信号のそれぞれが、受信機の所定の１つのチャネルに対応する放送信号を構成するようになされている。変調部７３および変調部７４の変調方式としては、例えば、QPSK(quadrature phase shift keying)変調方式が用いられる。
【００５０】
変調部７３および変調部７４から出力された信号は、ミキサ７５によりミキシングされてアンテナから衛星１２に向けて送信されるようになされている。
【００５１】
ここでは、変調部７３および変調部７４から出力された信号がミキシングされる例について説明したが、実際にはもっと多く変調部が設けられ、もっと多くの信号がミキシングされる。
【００５２】
図３は、ヘッドエンド３２の構成例を示すブロック図である。同図に示されるように、衛星１２から送信された放送波は、放送センターのアンテナで受信され、復調部１０２と復調部１０３に供給される。この例では、周波数ｘ´の信号は、復調部１０２に供給され、周波数ｙ´の信号は、復調部１０３に供給される。なお、周波数ｘ´の信号は、衛星送信装置２１により生成された周波数ｘの信号の周波数が衛星１２により変換されたものであり、周波数ｙ´の信号は、衛星送信装置２１により生成された周波数ｙの信号の周波数が衛星１２により変換されたものである。
【００５３】
復調部１０２と復調部１０３のそれぞれは、例えば、QPSK変調された信号を復調するようになされており、復調部１０２と復調部１０３からは、例えば、MPEG方式で圧縮符号化されたデータが出力されることになる。
【００５４】
データエンコーダ１０１とデータエンコーダ１０２は、それぞれヘッドエンド３２のCATVネットワークにおいて使用される制御情報のSIデータとして予め生成されたSIデータをエンコードする。
【００５５】
MUX１１１は、データエンコーダ１０１から出力されたデータと、復調部１０２から出力されたデータとを多重化するようになされている。MUX１１２は、データエンコーダ１０４から出力されたデータと、復調部１０３から出力されたデータとを多重化するようになされている。
【００５６】
変調部１２１は、MUX１１１から出力されたデータを変調して周波数Aの信号を生成する。変調部１２２は、MUX１１２から出力されたデータを変調して周波数Ｂの信号を生成する。変調部１２１および変調部１２２の変調方式としては、例えば、QAM（Quadrature Amplitude Modulation）変調方式が用いられる。周波数Aの信号が、例えば、受信機の第１のチャネルで受信する信号に対応し、周波数Bの信号が、例えば、受信機の第２のチャネルで受信する信号に対応する。
【００５７】
変調部１２１および変調部１２２から出力された信号は、ミキサ１３１によりミキシングされてCATVのケーブル上に送信されるようになされている。
【００５８】
ここでは、変調部１２１および変調部１２２から出力された信号がミキシングされる例について説明したが、実際にはもっと多く変調部が設けられ、もっと多くの信号がミキシングされる。
【００５９】
図２を参照して上述したように、衛星送信装置２１により生成された周波数ｙの信号には、付加データ８２が多重化されている。上述したように、周波数ｙ´の信号は、周波数ｙの信号の周波数が衛星１２により変換されたものだから、周波数Ｂの信号には、やはり付加データ８２が多重化されていることになる。
【００６０】
ヘッドエンド３２により、CATVのケーブル上に送信される信号において、付加データ８２は、同一のデータを周期的に受信可能なデータカルーセルとして送信されている。このデータカルーセル（Data Carousel）には、例えば、CATVネットワーク１３乃至CATVネットワーク１５に共通のEPGデータなども含まれる。
【００６１】
上述したように、衛星１２から送信される放送波を受信して各家庭などにコンテンツを配信するCATVネットワーク１３乃至CATVネットワーク１５においては、いずれも同じ時間に同じ番組が放送されることになる。従って、ヘッドエンド３２により、CATVのケーブル上に送信される信号においては、複数のCATVネットワークで共通に用いられるEPGデータが変調されて生成された信号が含まれることになる。
【００６２】
データカルーセルには、例えば、予め設定されたアプリケーションデータテーブルが含まれており、アプリケーションデータテーブルには、後述するネットワークIDによるタグが付されるようになされている。
【００６３】
図４は、データカルーセルの例を示す図である。同図の例では、データカルーセルが、EPGデータテーブル１５１とアプリケーションデータテーブル１５２とにより構成されている。
【００６４】
図５は、アプリケーションデータテーブル１５２の詳細な構成例を示す図である。同図に示されるように、アプリケーションデータテーブル１５２には、タグ１７１−１が含まれており、この例では、「ネットワークID＝0x7000」と記述されている。そして、タグ１７１−１に対応するアプリケーションデータ１７２−１が含まれており、この例では、アプリケーションデータ１７２−１が「JPEGデータ１」により構成されている。また、アプリケーションデータテーブル１５２には、タグ１７１−２が含まれており、この例では、「ネットワークID＝0x7001」と記述されている。そして、タグ１７１−２に対応するアプリケーションデータ１７２−２が含まれており、この例では、アプリケーションデータ１７２−２が「JPEGデータ２」により構成されている。
【００６５】
ここで、「JPEGデータ１」と「JPEGデータ２」は、例えば、JPEG方式で圧縮符号化された静止画像のデータとされる。
【００６６】
このように、アプリケーションデータテーブル１５２は、ネットワークIDによるタグと、そのタグに対応するアプリケーションデータにより構成されている。
【００６７】
図６は、アプリケーションデータテーブル１５２を、データ構造体として記述した場合の例を示す図である。同図においては、例えば、ETSI、ARIBなどの規格と同様に、プログラミング言語Ｃにおける構造体の記述方式を用いてアプリケーションデータテーブル１５２をデータ構造体として記述している。
【００６８】
同図に示される「table_id」には、このデータ構造体がapplilcation data sectionであることを表す値が記述される。
【００６９】
また、同図の「network_id」は、後述するようにSIデータに含まれるネットワークIDの値が記述される。そして、「data_byte」には、アプリケーションデータ（図５の例では、「JPEGデータ１」、または「JPEGデータ２」）が記述されることになる。
【００７０】
図６に示される通り、このデータ構造体「application data section」は、「network_id」によりループするようになっているので複数の「network_id」のそれぞれをタグとして、各タグに対応するアプリケーションデータを記述することが可能である。
【００７１】
図６の「network_id」は、例えば、例えば、ETSI（European Telecommunications Standards Institute）のDVB（Digital Video Broadcasting）に関する規格「EN 300 468  5.2.1」において、NIT（Network Information Table）の「Network information section」として規定されている。NITは、当該CATVネットワークにおけるトランスポートストリームの構成、当該CATVネットワークの特性などに関する情報を受信機に伝送するためのものであり、ETSIのDVB規格においては、NITをSIデータに含めることが規定されている。
【００７２】
すなわち、CATVネットワークに接続されるセットトップボックス、テレビジョン受像機などの受信機では、NITが解析されることにより、どの周波数の信号をどのチャネルに割り当てるかなどの情報が得られる。
【００７３】
図７は、NIT（Network Information Table）の「Network information section」を示す図である。同図に示されるように、１６ビットで構成される「network_id」が、NITの「Network information section」に含まれている。すなわち、実際の「network_id」は、１６ビットのデータにより表される値となる。
【００７４】
「network_id」として記述される値は、例えば、ETR（ETSI  TECHNICAL  REPORT）１６２の「Table 1: Original_network_id」において規定されている。図８は、ETR１６２の「Table 1: Original_network_id」を示す図である。同図に示されるように、「network_id」（ここでは、「Original_network_id」と記載されている）がとり得る１６進数の数値（0xで始まる数値）に、CATVネットワークがそれぞれ対応付けられている。同図の「Description」の欄に記述された情報が、その「network_id」により表されるCATVネットワーク（例えば、ケーブルテレビ会社の名称など）を表している。
【００７５】
ただし、「network_id」がとり得る値の一部は、例えば、将来の使用のために予約（Reserved）されるなどしているので、必ずしも「network_id」の値が常にCATVネットワークを表すものではない。
【００７６】
このように、ETSIのDVB規格を採用するCATVネットワーク上に伝送されるSIデータに含まれるNITの「network_id」は、当該CATVネットワークを表すものとして予め割り付けられた固有の値が記述されるように、規格により規定されているのである。
【００７７】
なお、ここでは、ETSIのDVB規格を例として説明したが、ARIB（Association of Radio Industries and Businesses）においても同様に、NITと「network_id」について規定されている。つまり、ETSIの規格に適合するCATVネットワーク、またはARIBの規格に適合するCATVネットワークにおいては、当該CATVネットワークに固有の「network_id」が割り付けられていることになる。
【００７８】
すなわち、一般的なCATVネットワークのヘッドエンドから送出される信号には、そのCATVネットワークに固有の「network_id」が含まれていることになる。
【００７９】
そこで、本発明においては、図５または図６を参照して上述したように、「network_id」をタグとし、そのタグに対応付けられたアプリケーションデータを有するアプリケーションデータテーブルを構成することにする。このようにすることで、各CATVネットワークは、それぞれ自分が取得すべきアプリケーションデータを「network_id」に基づいて特定することができるからである。本発明においては、各ネットワークIDをタグとし、受信機のそれぞれが、それらのタグが付されたデータカルーセルにアクセスすることで、各CATVネットワークに固有のアプリケーションを実行されることができるのである。
【００８０】
また、図３に示されるヘッドエンド３２は、ETSIのDVB規格、またはARIBの規格に適合するものであり、ヘッドエンド３２の構成、および放送センターのユーザによるヘッドエンド３２の操作は、従来のものと変わりない。すなわち、ヘッドエンド３２は、従来と同様に、衛星１２から受信した放送波に対応する信号を、自分のCATVネットワーク上に送信しているのである。
【００８１】
図９は、図１のCATVネットワーク１３乃至CATVネットワーク１５に接続される受信機２０１の構成例を示すブロック図である。上述したように、この受信機２０１は、例えば、セットトップボックス、テレビジョン受像機などにより構成され、当該CATVネットワークと契約した各家庭などに設置される。
【００８２】
同図において、チューナ２１１は、所定のチャネルの信号を受信して、その信号により構成されるデジタルデータをDeMUX２１２に送出する。
【００８３】
DeMUX２１２は、チューナ２１１から供給されたデジタルデータを、AVデータと、AVデータ以外のデータであるセクションデータとに分離する。DeMUX２１２は、AVデータをAVデコーダ２１３に出力し、セクションデータをバス２１５に出力する。なお、セクションデータには、例えば、SIデータ、図４を参照して上述したデータカルーセルなどが含まれる。
【００８４】
AVデコーダ２１３は、AVデータをデコードする。これにより、例えば、MPEG方式で圧縮符号化されていたAVデータが復号されることになる。
【００８５】
OSD２１４は、AVデコーダ２１３によりデコードされて生成された画像データに、CPU２１７からバス２１５を介して供給されるOSDデータを重畳し、画像表示信号を生成する。OSD２１４は、生成した画像表示信号をディスプレイに出力し、AVデコーダ２１３によりデコードされて生成された音声データに対応する音声信号をスピーカに出力する。
【００８６】
なお、ディスプレイとスピーカは、受信機２０１の一部として構成されるようにしてもよい。
【００８７】
IR受信部２１６は、リモコン２１９から送出される赤外線の信号を受信して、その信号に対応するコマンドのデータをCPU２１７に供給する。
【００８８】
CPU２１７は、IR受信部２１６から供給されたコマンドに基づいて、受信機２０１の各部を制御する。また、CPU２１７は、DeMUX２１２からバス２１５を介して供給されるセクションデータを解析するようになされている。
【００８９】
CPU２１７は、メモリ２１８を主記憶装置として利用してプログラムなどのソフトウェアを実行することで、SIデータを解析して各種の処理を実行する。例えば、CPU２１７は、SIデータに含まれるNITを解析して、当該CATVネットワークのネットワークIDを取得するようになされている。そして、CPU２１７は、取得されたネットワークIDに基づいて、データカルーセルにアクセスして、ネットワークIDに対応するアプリケーションデータを取得するようになされている。さらに、CPU２１７は、取得したアプリケーションデータを処理して、処理結果のデータを、バス２１５を介してOSD２１４に供給するようになされている。
【００９０】
図１０は、図９のCPU２１７で実行されるソフトウェアの機能的構成例を示すブロック図である。
【００９１】
同図において、SIデータ解析部２４１は、DeMUX２１２からバス２１５を介して供給されるセクションデータの中から、SIデータを抽出して、そのSIデータを解析するようになされている。なお、SIデータが圧縮符号化されている場合、SIデータ解析部２４１により復号されるようになされている。
【００９２】
ネットワークID取得部２４２は、SIデータ解析部２４１の解析結果に基づいて、SIデータに含まれるNITの中の「network_id」の値を取得する。なお、「network_id」は、図７を参照して上述した情報などに基づいて特定される。
【００９３】
アプリケーションデータ取得部２４３は、ネットワークID取得部２４２により取得されたネットワークID（NITの中の「network_id」の値）に基づいて、データカルーセルにアクセスして、ネットワークIDに対応するアプリケーションデータを取得するようになされている。例えば、図５の例では、ネットワークID取得部２４２により取得されたネットワークIDが「0x7000」であった場合、タグ１７１−１に対応するアプリケーションデータ１７２−１が取得されることになる。なお、データカルーセルが圧縮符号化されている場合、アプリケーションデータ取得部２４３により復号されるようになされている。
【００９４】
上述したように、データカルーセルは、同一のデータを周期的に受信可能となるように構成されており、データカルーセルには、複数のネットワークIDのそれぞれをタグとして複数のアプリケーションデータが記述されている。アプリケーションデータ取得部２４３は、ネットワークID取得部２４２が取得したネットワークIDにより、これら複数のアプリケーションデータの中から自分が取得すべきアプリケーションデータを抽出するのである。
【００９５】
アプリケーションデータ処理制御部２４４は、アプリケーションデータ取得部２４３により取得されたアプリケーションデータの処理を制御するようになされている。例えば、図５の例では、アプリケーションデータ１７２−１が取得された場合、JPEGデータ１が復号されて静止画像のデータが得られることになる。そして、その静止画像のデータがバス２１５を介してOSD２１４に供給され、AVデコーダ２１３によりデコードされて生成された画像データに、静止画像が重畳されることになる。
【００９６】
上述したように、NITは、当該CATVネットワークにおけるトランスポートストリームの構成、当該CATVネットワークの特性などに関する情報を受信機に伝送するためのものであり、本来、受信機において番組を受信するために用いられるものである。本発明では、NITの中の「network_id」の値が、送信されてくるデータ（信号）のうち、当該受信機が取得すべきデータを抽出するための情報として用いられることになるのである。
【００９７】
なお、図９に示される受信機２０１は、ETSIのDVB規格、またはARIBの規格に適合するものであり、受信機２０１のハードウェア構成、およびユーザによる受信機２０１の操作は、従来のものと変わりない。ただし、本発明の受信機２０１のCPU２１７で実行されるプログラムなどのソフトウェアが従来のものと異なることになる。
【００９８】
図１１は、CATVネットワークが個別に契約したスポンサーなどの広告を静止画像としてEPGに重畳して表示する場合の画面の例を示す図である。
【００９９】
同図に示される画面には、領域２６１に「番組ガイド」と表示されている。また、領域２６２には、EPGデータに基づいて生成された番組表が表示されている。そして、領域２６３には、上述したアプリケーションデータの静止画像であって、当該CATVネットワークの広告が表示されている。この例では、「○○CATVのお知らせ  ８月２０日に演芸館での番組収録にご招待します。」と表示されている。
【０１００】
ここで、「○○CATV」は、例えば、図１１の画面をディスプレイに表示させている受信機２０１が接続されているCATVネットワークの名称とされる。
【０１０１】
図１２は、CATVネットワークが個別に契約したスポンサーなどの広告を静止画像としてEPGに重畳して表示する場合の画面の別の例を示す図である。
【０１０２】
同図に示される画面には、領域２６１に「番組ガイド」と表示されている。また、領域２６２には、EPGデータに基づいて生成された番組表が表示されている。そして、領域２６３には、上述したアプリケーションデータの静止画像であって、当該CATVネットワークの広告が表示されている。この例では、「△△CATVのお知らせ  ７月３０日にホールでのイベントに３名様をご招待します。」と表示されている。
【０１０３】
ここで、「△△CATV」は、例えば、図１２の画面をディスプレイに表示させている受信機２０１が接続されているCATVネットワークの名称とされる。
【０１０４】
図１１と図１２において、領域２６１および領域２６２の表示内容は同じであり、領域２６３の表示内容のみが異なっている。図１１の画面が表示されるCATVネットワークのネットワークIDと図１２の画面が表示されるCATVネットワークのネットワークIDとが異なるからである。すなわち、図２の付加データ８２において、図１１の領域２６３に表示される静止画像のデータが、図１１の画面が表示されるCATVネットワークのネットワークIDに対応付けられていたのである。また、図２の付加データ８２において、図１２の領域２６３に表示される静止画像のデータが、図１２の画面が表示されるCATVネットワークのネットワークIDに対応付けられていたのである。
【０１０５】
なお、ここでは、静止画像が広告として表示される例について説明したが、例えば、テキストデータがアプリケーションデータとして取得され、そのテキストデータの文字列が広告として表示されるようにすることも、勿論可能である。
【０１０６】
例えば、図１１の画面は、図１のCATVネットワーク１３に接続される受信機２０１のディスプレイに表示される画面とし、図１２の画面は、図１のCATVネットワーク１４に接続される受信機２０１のディスプレイに表示される画面とすることができる。このように、本発明においては、ヘッドエンド３２、または受信機２０１の構成を変更することなく、番組ガイド（EPG）の表示を一部変更することができる。すなわち、CATVネットワーク１３（○○CATV）に接続される受信機２０１には、番組ガイド（EPG）として図１１に示される画面が表示されるようにすることができる。一方、CATVネットワーク１４（△△CATV）に接続される受信機２０１には、番組ガイドとして図１２に示される画面が表示されるようにすることができる。
【０１０７】
次に、図１３のフローチャートを参照して、図２の衛星送信装置２１によるアップリンク処理について説明する。
【０１０８】
ステップＳ１１において、MUX７１とMUX７２は、AVエンコーダ５１−１乃至AVエンコーダ５１−ｎによりエンコードされたAVデータ、データエンコーダ６１とデータエンコーダ６２によりエンコードされたSIデータを多重化する。
【０１０９】
ステップＳ１２において、MUX７２は、さらに多重化すべき付加データ８２があるか否かを判定する。ステップＳ１２において、さらに多重化すべき付加データ８２があると判定された場合、処理は、ステップＳ１３に進む。
【０１１０】
ステップＳ１３において、MUX７２は、付加データ８２を多重化する。これにより、複数のネットワークIDに対応付けられたアプリケーションデータが多重化される。
【０１１１】
ステップＳ１２において、さらに多重化すべき付加データ８２がないと判定された場合、または、ステップＳ１３の処理の後、処理は、ステップＳ１４に進む。
【０１１２】
ステップＳ１４において、ミキサ７５は、ステップＳ１１とステップＳ１３の処理でMUX７１およびMUX７２で多重化されて生成された周波数ｘの信号および周波数ｙの信号をミキシングする。
【０１１３】
ステップＳ１５において、ステップＳ１４の処理でミキシングされた信号が地上局１１のアンテナから衛星１２に送出される。
【０１１４】
このようにしてアップリンク処理が行われる。ステップＳ１３において、複数のネットワークIDに対応付けられたアプリケーションデータが、AVデータやSIデータとともに多重化されるようにしたので、CATVネットワーク１３乃至CATVネットワーク１５にそれぞれ異なるアプリケーションデータを送信することができる。
【０１１５】
CATVネットワークのサービスにおいて、例えば、CATVネットワークが個別に契約したスポンサーなどの広告を番組表に重畳して表示したいというニーズが存在する。従来のCATVでは、複数のCATVネットワークが同じEPGデータを受信することになるので、CATVネットワークが個別に契約したスポンサーなどの広告を番組表に重畳して表示することができないという問題があった。
【０１１６】
上述したように、複数のCATVネットワークであっても、利用する番組表は同じものなので、例えば、個々のCATVネットワークのそれぞれに対応するEPGデータを生成して放送することは非効率的と言わざるを得ない。また、CATVネットワークの放送センターは、通常のテレビ局のような設備や人員をもたないので、自分が個別に契約したスポンサーなどの広告などを、番組表に重畳して表示するための放送データを編集する作業などを行なうことは困難である。
【０１１７】
本発明では、従来のヘッドエンド３２をそのまま用いて、CATVネットワーク１３乃至CATVネットワーク１５にそれぞれ異なるアプリケーションデータを送信することができる。また、ヘッドエンド３２について特別な操作も必要ないので、通常のテレビ局のような設備や人員をもたない放送センターを有するCATVネットワークにも、本発明を適用することが可能である。
【０１１８】
次に、図１４のフローチャートを参照して、図９の受信機２０１による受信処理の例について説明する。
【０１１９】
ステップＳ３１において、チューナ２１１は、所定のチャネルの信号を受信して、その信号により構成されるデジタルデータをDeMUX２１２に送出する。
【０１２０】
ステップＳ３２において、DeMUX２１２は、チューナ２１１から供給されたデジタルデータを、AVデータと、AVデータ以外のデータであるセクションデータとに分離する。このとき、AVデータはAVデコーダ２１３に出力され、セクションデータはバス２１５に出力され、CPU２１７に取得される。なお、セクションデータには、例えば、SIデータ、図４を参照して上述したデータカルーセルなどが含まれる。
【０１２１】
ステップＳ３３において、図１０のSIデータ解析部２４１は、ステップＳ３２の処理で分離され、バス２１５を介して供給されるセクションデータの中から、SIデータを抽出して、そのSIデータを解析する。
【０１２２】
ステップＳ３４において、ネットワークID取得部２４２は、ステップＳ３３でのSIデータ解析部２４１の解析結果に基づいて、SIデータに含まれるNITの中の「network_id」の値を取得する。なお、「network_id」は、図７を参照して上述した情報などに基づいて特定される。
【０１２３】
ステップＳ３５において、アプリケーションデータ取得部２４３は、ステップＳ３４の処理でネットワークID取得部２４２により取得されたネットワークID（NITの中の「network_id」の値）に基づいて、データカルーセルにアクセスして、ネットワークIDに対応するアプリケーションデータを抽出する。例えば、図５の例では、ネットワークID取得部２４２により取得されたネットワークIDが「0x7000」であった場合、タグ１７１−１に対応するアプリケーションデータ１７２−１が抽出されることになる。
【０１２４】
ステップＳ３６において、アプリケーションデータ処理制御部２４４は、ステップＳ３５の処理でアプリケーションデータ取得部２４３により抽出されたアプリケーションデータの処理を制御する。例えば、ステップＳ３５において、図５のアプリケーションデータ１７２−１が抽出された場合、ステップＳ３６において、JPEGデータ１が復号されて静止画像のデータが得られることになる。そして、その静止画像のデータがバス２１５を介してOSD２１４に供給され、AVデコーダ２１３によりデコードされて生成された画像データに、静止画像が重畳されることになる。
【０１２５】
そして、ステップＳ３７において、ステップＳ３６の処理結果に基づく画面が表示される。このとき、例えば、図１１または図１２を参照して上述したような画面が表示されることになる。
【０１２６】
このようにして、受信処理が実行される。このようにすることで、ヘッドエンド３２、または受信機２０１の構成を変更することなく、番組ガイド（EPG）の表示を一部変更することができる。すなわち、CATVネットワーク１３（○○CATV）に接続される受信機２０１には、番組ガイド（EPG）として図１１に示される画面が表示されるようにすることができる。一方、CATVネットワーク１４（△△CATV）に接続される受信機２０１には、番組ガイドとして図１２に示される画面が表示されるようにすることができる。
【０１２７】
従って、本発明によれば、既存の設備を利用して、より独自性に富んだ放送を行なうことができる。
【０１２８】
以上においては、本発明を、主に番組表に広告を重畳して表示する場合の例について説明したが、例えば、ソフトウェアをアップデートする場合にも本発明を適用することができる。例えば、CATVネットワーク１３乃至CATVネットワーク１５のうち、CATVネットワーク１３にのみ障害が発生し、CATVネットワーク１３に接続される受信機２０１のソフトウェアのアップデートが必要になった場合を考える。
【０１２９】
この場合、例えば、図５のアプリケーションデータ１７２−１に、アップデートするソフトウェアのデータが含まれるようにすればよい。そして、図１０のアプリケーションデータ処理制御部２４４が、アプリケーションデータ取得部２４３が取得したアプリケーションデータに基づいて、メモリ２１８などに記憶されているソフトウェアをアップデートするようにすればよい。このようにすることで、放送センター３１−１、または各家庭のユーザに、何ら負担を強いることなく、受信機２０１のソフトウェアをアップデートすることが可能になる。
【０１３０】
このように、本発明においては、各ネットワークIDをタグとし、それらのタグが付されたデータカルーセルにアクセスすることで、各CATVネットワークに固有のアプリケーションを実行されることができる。
【０１３１】
また、以上においては、CATVネットワークを前提として本発明の実施の形態について説明したが、CATVネットワーク以外のネットワークにも本発明を適用することができる。すなわち、複数のネットワークにおいて、同一の番組や情報を放送するものであれば、本発明を適用することが可能である。
【０１３２】
なお、上述した一連の処理は、ハードウェアにより実行させることもできるし、ソフトウェアにより実行させることもできる。上述した一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば図１５に示されるような汎用のパーソナルコンピュータ７００などに、ネットワークや記録媒体からインストールされる。
【０１３３】
図１５において、CPU（Central Processing Unit）７０１は、ROM（Read Only Memory）７０２に記憶されているプログラム、または記憶部７０８からRAM（Random Access Memory）７０３にロードされたプログラムに従って各種の処理を実行する。RAM７０３にはまた、CPU７０１が各種の処理を実行する上において必要なデータなども適宜記憶される。
【０１３４】
CPU７０１、ROM７０２、およびRAM７０３は、バス７０４を介して相互に接続されている。このバス７０４にはまた、入出力インタフェース７０５も接続されている。
【０１３５】
入出力インタフェース７０５には、キーボード、マウスなどよりなる入力部７０６、CRT(Cathode Ray Tube)、ＬＣＤ(Liquid Crystal display)などよりなるディスプレイ、並びにスピーカなどよりなる出力部７０７、ハードディスクなどより構成される記憶部７０８、モデム、LANカードなどのネットワークインタフェースカードなどより構成される通信部７０９が接続されている。通信部７０９は、インターネットを含むネットワークを介しての通信処理を行う。
【０１３６】
入出力インタフェース７０５にはまた、必要に応じてドライブ７１０が接続され、磁気ディスク、光ディスク、光磁気ディスク、或いは半導体メモリなどのリムーバブルメディア７１１が適宜装着され、それらから読み出されたコンピュータプログラムが、必要に応じて記憶部７０８にインストールされる。
【０１３７】
上述した一連の処理をソフトウェアにより実行させる場合には、そのソフトウェアを構成するプログラムが、インターネットなどのネットワークや、リムーバブルメディア７１１などからなる記録媒体からインストールされる。
【０１３８】
なお、この記録媒体は、図１５に示される、装置本体とは別に、ユーザにプログラムを配信するために配布される、プログラムが記録されている磁気ディスク（フロッピディスク（登録商標）を含む）、光ディスク（CD-ROM(Compact Disk-Read Only Memory),DVD(Digital Versatile Disk)を含む）、光磁気ディスク（MD（Mini-Disk）（登録商標）を含む）、もしくは半導体メモリなどよりなるリムーバブルメディア７１１により構成されるものだけでなく、装置本体に予め組み込まれた状態でユーザに配信される、プログラムが記録されているROM７０２や、記憶部７０８に含まれるハードディスクなどで構成されるものも含む。
【０１３９】
なお、本明細書において上述した一連の処理を実行するステップは、記載された順序に沿って時系列的に行われる処理はもちろん、必ずしも時系列的に処理されなくとも、並列的あるいは個別に実行される処理をも含むものである。
【図面の簡単な説明】
【０１４０】
【図１】ケーブルテレビの放送方式を説明する図である。
【図２】図１の衛星送信装置の構成例を示すブロック図である。
【図３】図１のヘッドエンドの構成例を示すブロック図である。
【図４】データカルーセルの例を示す図である。
【図５】図４のアプリケーションデータテーブルの例を説明する図である。
【図６】図４のアプリケーションデータテーブルを、データ構造体として記述した場合の例を示す図である。
【図７】NIT（Network Information Table）の「Network information section」を示す図である。
【図８】図８は、ETR１６２の「Table 1: Original_network_id」を示す図である。
【図９】本発明を適用した受信機の構成例を示すブロック図である。
【図１０】図９のCPUで実行されるソフトウェアの機能的構成例を示すブロック図である。
【図１１】受信機のディスプレイに表示される画面の例を示す図である。
【図１２】受信機のディスプレイに表示される画面の別の例を示す図である。
【図１３】アップリンク処理の例を説明するフローチャートである。
【図１４】受信処理の例を説明するフローチャートである。
【図１５】パーソナルコンピュータの構成例を示すブロック図である。
【符号の説明】
【０１４１】
１１  地上局，  １２  衛星，  １３乃至１５  CATVネットワーク，  ２１  衛星送信装置，  ３１−１乃至３１−３  放送センター，  ３２  ヘッドエンド，  ５１−１乃至５１−ｎ  AVエンコーダ，  ５２−１乃至５２−ｎ  AVエンコーダ，  ６１，６２  データエンコーダ，  ７１，７２  MUX，  ７３，７４  変調部，  ７５  ミキサ，  ８１  データエンコーダ，  ８２  付加データ，  １０１，１０２  復調部，  １２１，１２２  変調部，  １３１  ミキサ，  ２０１  受信機，  ２１１  チューナ，  ２１２  DeMUX，  ２１３  AVエンコーダ，  ２１４  ＯＳＤ，  ２１７  CPU，  ２１８  メモリ
【図１】
2010068209.tif 000003
【図２】
2010068209.tif 000004
【図３】
2010068209.tif 000005
【図４】
2010068209.tif 000006
【図５】
2010068209.tif 000007
【図６】
2010068209.tif 000008
【図７】
2010068209.tif 000009
【図８】
2010068209.tif 000010
【図９】
2010068209.tif 000011
【図１０】
2010068209.tif 000012
【図１１】
2010068209.tif 000013
【図１２】
2010068209.tif 000014
【図１３】
2010068209.tif 000015
【図１４】
2010068209.tif 000016
【図１５】
2010068209.tif 000017